(57)【要約】      （修正有）【課題】コンパクトな形状で携帯と収納ができ、しかも広告宣伝のための表示や装飾に適している、爪手入れ道具を提供する。【解決手段】爪手入れ道具を容器に収納してなる爪手入れ道具セット。薄型でコンパクト、スリムな形状を有する道具セットである。上記容器の蓋が扉のように開閉し、上記容器内で上記爪手入れ道具を平面的に整列させて保持することができる。【選択図】図４
0003235542.tif 000002
【実用新案登録請求の範囲】
【請求項１】
爪手入れ道具を容器に収納してなる爪手入れ道具セットであって、
上記爪手入れ道具は、少なくとも１つの長尺板状の爪用ヤスリを含み、
上記容器は、１つの蓋面、１つの底面、上記底面から起立する側面を含み、上記蓋面によって開閉可能であって、
上記蓋面が閉じた状態で、上記蓋面と上記底面が並行に向かい合い、上記側面が上記蓋面と上記底面とに接し、上記容器の外観は扁平あるいは薄型のケースであり、
上記蓋面と上記側面とが接する位置に置かれた軸を中心として上記蓋面が旋回することによって、上記蓋面が開閉することができ、
上記容器は、内部に、上記爪手入れ道具を保持するための、上記底面に平行に延長する保持面を有し、上記保持面の凹部で上記爪手入れ道具が出し入れされる、
爪手入れ道具セット。
【請求項２】
上記長尺板状の爪手入れ道具が、上記底面に平行な状態で、上記保持面で安定することができる、請求項１に記載の爪手入れ道具セット。
【請求項３】
上記爪手入れ道具が、少なくとも１つの長尺板状の爪手入れ道具と、少なくとも１つの爪垢取り具とを含む、請求項１に記載の爪手入れ道具セット。
【請求項４】
上記蓋面の外表面及び／又は上記爪用ヤスリに、表示及び／又は装飾が施されている、請求項１に記載の爪手入れ道具セット。
【請求項５】
携帯用である、請求項１に記載の爪手入れ道具セット。
【考案の詳細な説明】
【技術分野】
【０００１】
本考案は爪手入れ道具セットに関する。本考案は、特に、薄型ケースに爪手入れ道具を収納してなる携帯や広告宣伝に有利な爪手入れ道具セットに関する。
【背景技術】
【０００２】
爪の手入れに用いられる道具（以下「爪手入れ道具」）としては、爪の形を整えるための研磨機、爪の汚れを取るための道具がよく知られている。例えば、ガラスや金属製のヤスリ、これらヤスリを自動運動させる研磨機、爪垢取り用の棒あるいはピンセット状の道具、爪の艶出し材が市販されている。
【０００３】
数種類の爪手入れ道具を見栄え良くコンパクトに収納したい、外出先でも爪の手入れをするために爪手入れ道具を携帯したい、という要求は大きい。特許文献１〜６に記載されているように、これまでに様々な爪手入れ道具の携帯・収納方法が提案されている。
【０００４】
しかしながら、例えば上述の特許文献１〜６に記載された爪手入れ道具の外観から理解できるように、爪手入れ道具の形状は比較的複雑で、バッグに入れて持ち歩きにくい、家庭の収納棚でデッドスペースができやすい、という問題がある。
【０００５】
その一方で、近年、比較的小型で携帯性の高い製品に広告宣伝機能をもたせることが多い。特許文献７，８に記載されているように既に化粧品や化粧品の包装体がノベルティグッズとして用いられている。
【０００６】
爪手入れ道具も、比較的小型で携帯性があり「おしゃれ」感覚が重要視される点では、ノベルティグッズとしての価値は潜在的にはあると思われる。しかしながら、例えば上述の通り爪手入れ道具やその容器の形状は比較的複雑で、効果的な広告宣伝表示を施すことが難しい。
【先行技術文献】
【特許文献】
【０００７】
【特許文献１】実公平３−    ８１６３号公報
【特許文献２】特表２００６−５０４４４９号公報
【特許文献３】特開２０１４−１８０４９３号公報
【特許文献４】特開２０１５−１３９４９４号公報
【特許文献５】特表２０２０−５０５１７４号公報
【特許文献６】実用新案登録第３０６３１９６号公報
【特許文献７】特開２００６−０３６３３８号公報
【特許文献８】実用新案登録第３１５４２１７号公報
【考案の概要】
【考案が解決しようとする課題】
【０００８】
そこで本考案者は上述の問題の解決を試みた。すなわち本考案者は、コンパクトな形状で携帯と収納ができ、しかも広告宣伝のための表示や装飾に適している、爪手入れ道具を求めた。
【課題を解決するための手段】
【０００９】
その結果、本考案者は、薄型の箱に爪手入れ道具を収納し、容器と道具に表示や装飾に適した平面部分を十分に設けることで、上記問題を解決した。すなわち本考案は以下のものである。
（考案１）
爪手入れ道具を容器に収納してなる爪手入れ道具セットであって、
上記爪手入れ道具は、少なくとも１つの長尺板状の爪用ヤスリを含み、
上記容器は、１つの蓋面、１つの底面、上記底面から起立する側面を含み、上記蓋面によって開閉可能であって、上記蓋面が閉じた状態で、上記蓋面と上記底面が並行に向かい合い、上記側面が上記蓋面と上記底面とに接し、上記容器の外観は扁平あるいは薄型のケースであり、
上記蓋面と上記側面とが接する位置に置かれた軸を中心として上記蓋面が旋回することによって、上記蓋面が開閉することができ、
上記容器は、内部に、上記爪手入れ道具を保持するための、上記底面に平行に延長する保持面を有し、上記保持面の凹部で上記爪手入れ道具が出し入れされる、
爪手入れ道具セット。
（考案２）
上記長尺板状の爪手入れ道具が、上記底面に平行な状態で、上記保持面で安定することができる、請求項１に記載の爪手入れ道具セット。
（考案３）
上記爪手入れ道具が、少なくとも１つの長尺板状の爪手入れ道具と、少なくとも１つの爪垢取り具とを含む、考案１の爪手入れ道具セット。
（考案４）
上記蓋面の外表面及び／又は上記爪用ヤスリに、表示及び／又は装飾が施されている、考案１の爪手入れ道具セット。
（考案５）
携帯用である、考案１の爪手入れ道具セット。
【考案の効果】
【００１０】
本考案の爪手入れ道具セットは、おおよそ直方体状で薄型の容器に、爪手入れ道具が上記容器の底面に平行に並んで保持されたものである。本考案の爪手入れ道具セットは、蓋が閉まった状態ではいわゆる「コンパクト」で「スリム」な形状を保ち、携帯や収納に有利である。本考案の爪手入れ道具セットの蓋は側面との境界線を軸として大きな角度で旋回するので、爪手入れ道具の取り出し収納時の視認性が極めて良好である。本考案の爪手入れ道具セットは、蓋、道具の両方に十分な平面があるので、広告宣伝のための表示や装飾を施しやすい。
【図面の簡単な説明】
【００１１】
【図１】本考案の爪手入れ道具セットの１例。蓋が閉じた状態を示す。
【図２】本考案の爪手入れ道具セットの１例。容器が開口する様子を示す。
【図３】本考案の爪手入れ道具セットの断面図。
【図４】本考案の爪手入れ道具セットの１例。
【考案を実施するための形態】
【００１２】
［爪手入れ道具セット］  
本考案の爪手入れ道具セットは、爪手入れ道具を容器に収納してなる製品である。
［爪手入れ道具］
本考案で用いる爪手入れ道具は、少なくとも１つの長尺板状の爪用ヤスリを含む。上記爪用ヤスリは硬質プラスチック、金属、ガラス、これら材料の複合物からなり研磨部を有する。上記爪用ヤスリは、典型的には、研磨部を有する長尺の硬質プラスチックまたはガラス板で、上記研磨部は、適当なピッチと深さの細溝あるいは凹凸群からなる。これら硬質プラスチックまたはガラス板製爪用ヤスリの長さと厚みは爪の研磨機能を確保できる限り制限されない。上記長さは一般的には３ｃｍ以上２０ｃｍ以下、好ましくは５ｃｍ以上１５ｃｍ以下、最も好ましくは７ｃｍ以上１０ｃｍ以下である。上記厚みは一般的には０．５ｍｍ以上１０ｍｍ以下、好ましくは１ｍｍ以上５ｍｍ以下、最も好ましくは２ｍｍ以上４ｍｍ以下である。
【００１３】
本考案で用いる爪手入れ道具は、さらに少なくとも１つの爪垢取り具を含んでよい。上記爪垢取り具は、爪手入れ道具として一般的であり、棒状の本体の両端に小型のヘラ状部位が配置された道具である。このような爪垢取り具は、通常はステンレスなどの金属製である。一般的には上記本体の中央部に滑り止め加工された握り部があり、使用者はこの握り部を持って上記本体のいずれかの先端部を手足の爪と皮膚の間に挿入し、上記ヘラ状部位で汚れを掻き出す。上記先端部に湾曲部分があってもよい。
【００１４】
本発明で複数の爪手入れ道具を用いる場合には、後述の保持面に平行に並べて配置できるように、上記複数の道具の長手方向の長さが概ね等しいことが好ましい。このような長さ設計とすることで、より「コンパクト」で「スリム」な収納となり、上記爪手入れ道具に表示や装飾を施した場合の視認性や美観性が向上する。
【００１５】
本考案では、標準的な道具の組み合わせとして、粗さの異なる長尺板状ヤスリ２枚と、棒状爪垢取り具１本とを収納することができる。
【００１６】
本考案では、できるだけ容器内で無駄な空間を作らないように、上記道具のサイズと形状を調整することが好ましい。この場合、それぞれの道具のサイズあるいは形状が、単独で市販されている道具のサイズあるいは形状と異なる場合がある。本考案では、爪の手入れに支障がない範囲で上記調整を行うことができる。
［容器］
上記容器は、１つの蓋面、１つの底面、上記底面から起立する側面を含む。上記容器の各部の寸法は、上述の爪手入れ道具の形状や寸法に応じて決定される。好ましくは、上記容器は上述の爪手入れ道具を収納できる最小限の大きさに設計される。このことは、後述の保持面から上記爪手入れ道具が外れた場合でも容器内壁が上記爪手入れ道具によって傷つく危険性を最小にし、本考案品の製造コストを低くするために有利であり、本考案品の携帯や収納にとっても好ましい。
【００１７】
上記容器の1例は、長方形乃至正方形の１つの蓋面、長方形乃至正方形の１つの底面、上記底面から起立する４つの側面からなる、開閉可能な薄型ケースである。ここで「長方形」「正方形」は、少なくとも平行に向かい合う２組の辺に囲まれた方形という意味で、やや丸まった長方形（長方形の４つの角が丸まった形）あるいは正方形（正方形の４つの角が丸まったも形）であってもよい。
【００１８】
上記容器の別の例は、円状あるいは楕円状の１つの蓋面、円板あるいは楕円状の１つの底面、上記底面から起立する1つの曲面からなる側面からなる、開閉可能な薄型ケースである。この場合、蓋面と底面とは合同形であってもなくてもよく、上記側面に局所的な起伏があってもなくてもよい。
【００１９】
上記容器の材質は収納機能と後述の開閉西性がない限り制限されない。一般的にはプラスチック、ガラス、木質材料、これらの複合物などが使用可能であり、コストや外観の面でプラスチック製容器が好ましい。
【００２０】
上記容器の蓋面は開閉可能である。上記蓋面が閉じた状態では、上記蓋面と上記底面が平行に向かい合い、上記側面が上記蓋面と上記底面とに接しており、上記容器の外観は扁平あるいは薄型のケースである。ここで「扁平」と「薄い」は使用者が容器の蓋面と底面を簡単に把持できる厚みを指し、書籍似採用され得る厚みあっても、スマートフォンに近い極薄型であってもよい。
【００２１】
上記容器が、長方形乃至正方形の１つの蓋面、長方形乃至正方形の１つの底面、上記底面から起立する４つの側面からなる場合には、上記蓋面が閉じた状態では、上記容器は重箱やノートの形に似ている。上記容器が、円状あるいは楕円状の１つの蓋面、円板あるいは楕円状の１つの底面、上記底面から起立する1つの曲面からなる側面からなる場合には、上記蓋面が閉じた状態では、上記容器はボタンやコインの形に似ている。
【００２２】
上記蓋面と上記側面とが接する位置に置かれた軸を中心として上記蓋面が旋回することによって、上記蓋面が開閉する。上記軸は、具体的には、蝶番や長尺のＬ字板などで形成される。一般的には、蓋面の端部と側面とが蝶番で連結され、上記蓋面が上記蝶番の周りに旋回する。上記軸回りの旋回によって、蓋面が容器全体に対してドアのように開閉する。上記容器が、長方形乃至正方形の１つの蓋面、長方形乃至正方形の１つの底面、上記底面から起立する４つの側面からなる場合には、上記軸は、蓋面の1辺に沿った直線上に置かれる。上記容器が、円状あるいは楕円状の１つの蓋面、円板あるいは楕円状の１つの底面、上記底面から起立する1つの曲面からなる側面からなる場合には、上記軸は蓋面の周上に置かれる。
【００２３】
一般的には、上記蓋は閉じた状態から上記軸の周りに１８０度以上旋回することができる。このように蓋面が大きく開くことによって、本考案品の使用者は容器の外から容器内に収納された爪手入れ道具のすべてを見渡すことができる。
【００２４】
上記容器には、蓋面のロック手段を設けることができる。上記ロック手段として、各種容器の開閉に用いられている留め金やかみ合わせなどの手段を制限なく使用することができる。
上記容器には、必要に応じて補強部材や補助部材を配置することもできる。例えば、上記容器の一部に屈曲部や肉厚部を配置して強度を向上させることができる。また例えば、上記裏面の内面に、上記蓋面を閉じた状態で爪手入れ道具を押圧するタブや突起を配置することもできる。
【００２５】
上記容器は、さらに、上記爪手入れ道具を保持するための保持面を有する。上記保持面は上記底面に平行に延長する。上記保持面は通常は上記蓋面よりも上記底面に近い位置にあって、上記保持面の外周は上記４つの側面に接している。典型的には、上記保持面は、上記底面の上側に張られた中敷きである。上記保持面の材質は、強度、爪手入れ道具に対する密着力などを考慮して適宜選択される。上記保持面には、一般的には、フェルト生地やパルプ材、不織布、これらの複合物などの、適度に柔軟な表面を持つ薄型材が用いられる。
【００２６】
上記保持面には凹部が配置されている。上記凹部は、上記容器に収納される爪手入れ道具の外周に沿った形状をなしている。上記凹部は概ね長尺形状に延長する。上記凹部は本考案品において爪手入れ道具の出し入れに用いられる。上記保持面の凹んだ部分に上記道具のそれぞれを押し込むことができる。本考案品の使用者は、爪の手入れをする場合には上記凹部から上記爪手入れ道具を取り出し、爪の手入れが終わると丈夫凹部似上記爪手入れ道具を固定することができる。
【００２７】
本考案では、上記長尺板状の爪用ヤスリと上記底面とが平行となるように、上記保持面に設けられた凹部に上記爪手入れ道具を挿入することができる。ここで「平行」は本考案品の使用者が見て傾いていないという意味で、概ね平行な状態を含む。すなわち、上記凹部の深さは、上記爪用ヤスリの厚みに対応しており、上記容器の底面に対して上記爪用ヤスリが傾くことなく平らに安定する。
【００２８】
本考案で使用可能な全ての爪手入れ道具に対して、上記凹部の深さ、形状、大きさは、各凹部に挿入される爪手入れ道具の形状と厚みに応じて設定されている。上記深さ、形状、大きさは、上記位保持面からの上記爪手入れ道具を出し入れに問題がない限り制限されず、一つの爪手入れ道具に対して一定でも変化があってもよい。
【００２９】
本考案で長さ、幅、厚みの異なる爪手入れ道具を収納する場合には、容器全体を振動させても上記爪手入れ道具が上記凹部から脱落することがないように、上記保持面と上記爪手入れ道具との間隙を最小限とすることが望ましい。
【００３０】
［表示及び／又は装飾］
本考案では、上記容器と上記爪手入れ道具の表面に、表示及び／又は装飾を加えることができる。特に、蓋面の上記容器の側面に対して広く平らな表側及び／又は裏側は表示及び／又は装飾に適している。広告宣伝を目的とした表示及び／又は装飾を加えると、本考案の爪磨き道具セットをアピール性の高いノベルティグッズとして利用することができる。
【００３１】
容器とは別に、また容器の表示及び／又は装飾に協調した表示及び／又は装飾を、上記爪手入れ道具に加えることができる。この場合、上記容器の蓋を開けると上記爪手入れ道具の表示あるいは装飾の全体を視認することができ、上記道具の出し入れの度に広告宣伝効果が得られる。
【実施例】
【００３２】
図に本考案の例を模式的に示す。各図に表示された寸法や形状には誇張や省略があり、全体像や各部位は実物と異なる場合がある。
【００３３】
図１に、本考案製品の爪手入れ道具セット（１）の容器（１０）を示す。容器（１０）の外形は薄型の箱状である。図１では、容器（１０）が不透明な材料からなる場合を表現しており、容器（１０）の内部は見えない。ただし、本考案品の他の例として、容器（１）の一部以上を透明あるいは半透明な材料で形成することは可能である。図１（ａ）は蓋（１１）の上から見た様子である。図１（ｂ）は容器（１０）を側面から見た様子である。図１では容器（１０）の蓋（１１）は閉じている。蓋（１１）と底面（１２）とは平行に向かい合う。４つの側面（１３１，１３２，１３３，１３４）が蓋（１１）と底面（１２）とに挟まれている。
【００３４】
図２に、本考案製品の爪手入れ道具セット（１）の容器（１０）を側面から見た様子を示す。図２では容器（１０）の蓋（１１）が開く様子を示す。蓋（１１）と側面（１３２）との接線に沿って蝶番（１４）が配置されている。蓋（１１）は蝶番（１４）を軸として開閉する。矢印は蓋（１１）の旋回方向を示す。図２（ａ）は蓋（１１）が最も大きく旋回し容器（１０）が最大に開口した位置を示す。
【００３５】
図３に、本考案の爪手入れ道具セット（１）の断面を示す。容器（１０）には、爪手入れ道具として、丸棒状の爪垢取り具（２０１），長尺平板状で目の粗い爪磨き用ガラスヤスリ（２０２）、長尺平板状で目の粗い爪磨き用ガラスヤスリ（２０３）が、容器（１９）の内部の保持面（１６）の凹部（１６１，１６２，１６３）のそれぞれに収納されている。爪垢取り具（２０１），ガラスヤスリ（２０２）、ガラスヤスリ（２０３）は、紙面の手前から奥に沿って互いに平行に配置されている。ガラスヤスリ（２０２）とガラスヤスリ（２０３）の表面は保持面（１６）上にあって底面（１２）に平行である。蓋面（１１）を開けると、爪垢取り具（２０１）、ガラスヤスリ（２０２）とガラスヤスリ（２０３）が保持面（１６）上で同じ高さに突出し美しく整列していることが、見て取れる。
【００３６】
図４として、本考案の爪手入れ道具セットの１例の画像を示す。この例では、蓋面を閉じた状態で保持するための一対の掛け具（１５１，１５２）が設けられている。容器内部の保持面（１６）  （紙面では黒く見える部分）上に、紙面の上から下に向かう順で、爪手入れ道具として、爪垢取り具（２１０）、両端の形状が異なる爪磨き用板状ガラスヤスリ（２２０）、両端の形状が一致する爪磨き用板状ガラスヤスリ（２３０）が収納されている。保持面（１６）の凹部の一部（紙面では白く見える部分，１６４）は底面の内面によって形成されている。すなわち、保持面（１６）の一部分（１６４）が切り抜かれており、保持面（１６）の下側が底面で支えられている。上記部分（１６４）は上記３種の爪手入れ道具（２１０，２２０，２３０）と接しておらず、上記爪手入れ道具（２１０，２２０，２３０）のすべてが保持面（１６）に置かれた状態でも、開放した凹部として存在する。この部分（１６４）は、爪手入れ道具の取り出し部分（１６４）として機能する。使用者は上記取り出し部分（１６４）で指を滑らせて上記爪手入れ道具をピックアップすることができる。
図４に示す例では、板状ガラスヤスリ（２２０）、板状ガラスヤスリ（２３０）の長さ寸法を爪垢取り具（２１０）の長さにほぼ一致させている。この場合、板状ガラスヤスリ（２２０）と板状ガラスヤスリ（２３０）は、市販の爪磨き用ガラスヤスリよりも短躯となる可能性がある。しかし、このようなサイズ変更により爪磨きが困難になることはなく、むしろ、本考案品の全体で携帯性や美観などが向上している。
【００３７】
図３，図４に示す例で、蓋面（１１）の内外表面やガラスヤスリ（２０１，２０２，２０３，２２０，２３０）の表面に、印刷や被覆、物理的あるいは化学的な表面処理などの手段によって表示や装飾を加えることができる。例えば広告宣伝を目的とした会社名やロゴ、キャッチフレーズ、メッセージ、写真やイラストなどを掲載することができる。このような表示や装飾は、本考案品自体の宣伝力を高めることができる。また、優れたデザイン性や軽量小型であることを利用して、本考案品をノベルティグッズとしても用いることができる。
【００３８】
図４に示す例のような、薄型に設計された本考案の爪手入れ道具セットは携帯や配布にも便利である。
【産業上の利用可能性】
【００３９】
本考案は、爪磨き道具の組み合わせを、従来品では実現されておらずまた所望もされていなかった、薄型で平面的な形状に設計した点で、画期的である。本考案の上記薄型で平面的な形状は、スタイリッシュでコンパクトな製品デザインとして、消費者の関心と満足度を獲得することができる。本考案では、さらに、上記薄型で平面的な形状によって、従来は爪磨き道具の組み合わせでは実現されておらずまた所望もされていなかった、視認性の良い表示や装飾が可能となる。このような表示や装飾によって、本考案は類似品と差別化され、本考案品には高い市場競争力が付与されている。さらに本考案品には、ノベルティグッズとしての価値も付加されている。
【００４０】
本考案は、爪磨き道具に関連する製品の付加価値を高めることに成功している。本考案はヘルスケアや化粧品、衛生製品の市場の活性化に貢献することができる。さらに本考案は、宣伝広告市場にも有益な商品を提供することができる。
【符号の説明】
【００４１】
１  爪磨き道具セット
１０  容器
１１  蓋面
１２  底面
１３１，１３２，１３３，１３４  側面
１４  蝶番
１５１，１５２  掛け具
１６  保持面
１６１，１６２，１６３  凹部
１６４  切り抜き部，取り出し部分
２０１，２１０  爪手入れ道具（爪垢取り具）
２０２，２０３  爪手入れ道具（ガラスヤスリ）
２１０，２３０  爪手入れ道具（ガラスヤスリ）
【図１】
0003235542.tif 000003
【図２】
0003235542.tif 000004
【図３】
0003235542.tif 000005
【図４】
0003235542.tif 000006